(57)【特許請求の範囲】
【請求項１】
ワークをプレスする際のプレス荷重を検出する検出部と、
前記検出部で検出したプレス荷重の荷重波形が複数回同じ波形である場合に当該波形に基づく比較対象となる基準波形を生成する基準波形生成部と、
前記プレス荷重の荷重波形と前記基準波形とに基づいてプレス異常か否かを判断する判断部とを備える、プレスシステム。
【請求項２】
前記検出部は、複数地点におけるプレス荷重をそれぞれ検出し、
前記基準波形生成部は、前記検出部で検出した前記複数地点におけるプレス荷重の荷重波形に基づいて、前記複数地点にそれぞれ対応する複数の基準波形を生成し、
前記判断部は、前記検出部で検出した各前記複数地点のプレス荷重の荷重波形と対応する基準波形とに基づいてプレス異常か否かを判断する、請求項１記載のプレスシステム。
【請求項３】
前記基準波形生成部は、前記検出部で連続して検出したプレス荷重の荷重波形が複数回同じ波形である場合に当該波形に基づく基準波形を生成する、請求項１記載のプレスシステム。
【請求項４】
ユーザからの指示に従って前記基準波形を登録するモードと、前記基準波形生成部により前記基準波形を生成するモードとを選択可能な受付部をさらに備える、請求項１記載のプレスシステム。
【請求項５】
前記判断部の判断結果に基づくプレス荷重の回数をカウントするカウント部をさらに備える、請求項１記載のプレスシステム。
【請求項６】
前記判断部の判断結果に基づいて異常を報知する異常報知部をさらに備える、請求項１記載のプレスシステム。
【請求項７】
前記検出部で検出したプレス荷重の荷重波形が所定回数同じ波形で無い場合に異常を報知する異常報知部をさらに備える、請求項１記載のプレスシステム。
【請求項８】
前記所定回数は、前記プレスシステムの金型のステーション数よりも多い値に設定される、請求項７記載のプレスシステム。
【請求項９】
前記基準波形生成部は、所定期間毎に前記検出部で検出したプレス荷重の荷重波形が複数回同じ波形である場合に当該波形に基づく前記基準波形を生成して更新する、請求項１記載のプレスシステム。
【請求項１０】
前記所定期間毎に生成された基準波形を記憶部に記憶する登録部をさらに備える、請求項９記載のプレスシステム。
【請求項１１】
ワークをプレスする際のプレス荷重を検出するステップと、
検出したプレス荷重の荷重波形が複数回同じ波形である場合に当該波形に基づく比較対象となる基準波形を生成するステップと、
検出したプレス荷重の荷重波形と前記基準波形とに基づいてプレス異常か否かを判断するステップとを備える、プレスシステムの制御方法。
【請求項１２】
ワークをプレスする際のプレス荷重を検出する検出部と、
検出したプレス荷重の荷重波形を記憶する記憶部と、
所定期間内に記憶された複数のプレス荷重の荷重波形に基づいて代表するプレス荷重の荷重波形を設定する設定部と、
経時的に異なる所定期間毎の前記設定部に設定された代表するプレス荷重の荷重波形を重ね合わせて表示する表示部とを備える、プレスシステム。
【請求項１３】
前記代表するプレス荷重波形は、前記所定期間内の前記複数のプレス荷重波形の平均波形であり、前記所定期間毎は、月毎に設定される、請求項１２記載のプレスシステム。
【請求項１４】
ワークをプレスする際のプレス荷重を検出するステップと、
検出したプレス荷重の荷重波形を記憶するステップと、
所定期間内に記憶された複数のプレス荷重の荷重波形に基づいて代表するプレス荷重の荷重波形を設定するステップと、
経時的に異なる所定期間毎の設定された代表するプレス荷重の荷重波形を重ね合わせて表示するステップとを備える、プレスシステムの制御方法。
【請求項１５】
前記代表するプレス荷重の荷重波形は、前記所定期間内の前記複数のプレス荷重の荷重波形の平均波形であり、前記所定期間毎は、月毎に設定される、請求項１４記載のプレスシステムの制御方法。
【発明の詳細な説明】
【技術分野】
【０００１】
本発明は、プレスシステムであって、特にワークを搬送してプレスするプレスシステムに関するものである。
【背景技術】
【０００２】
従来より、一対の金型を接近離間させてプレス加工を行うプレス機械が利用されている。
【０００３】
プレス加工の良／不良を判定する方式として、所定品質の荷重曲線等との比較に基づいてプレス加工の良／不良を判定する方式が従来より提案されている（特許文献１）。
【０００４】
具体的には、予め所定品質のプレス品の基準波形を登録しておいて、当該基準波形とプレス加工の際の荷重波形との比較に基づいてプレス加工の不良を判断する方式が開示されている（特許文献２および３）。
【先行技術文献】
【特許文献】
【０００５】
【特許文献１】特開平６−３０４８００号公報
【特許文献２】特開２００７−６１８９６号公報
【特許文献３】特開平７−１６４１９９号公報
【発明の概要】
【発明が解決しようとする課題】
【０００６】
しかしながら、上記文献に記載される方式は、事前に予め基準波形を設定、登録したものとプレス加工の際の荷重波形とを比較することによりプレス加工の状態を判断するものであり、当該基準波形の設定、登録には時間を要していた。
【０００７】
本発明は、上記の課題を解決するためになされたものであって、簡易な方式でプレス加工の状態を判断することが可能なプレスシステムおよびプレスシステムの制御方法を提供することを目的とする。
【課題を解決するための手段】
【０００８】
ある局面に従うプレスシステムは、ワークをプレスする際のプレス荷重を検出する検出部と、検出部で検出したプレス荷重の荷重波形に基づいて比較対象となる基準波形を生成する基準波形生成部と、検出部で検出したプレス荷重の荷重波形と基準波形とに基づいてプレス異常か否かを判断する判断部とを備える。プレスシステムが基準波形を生成することにより簡易な方式でプレス加工の状態を判断することが可能である。
【０００９】
好ましくは、基準波形生成部は、検出部で検出したプレス荷重の荷重波形が複数回同じ波形である場合に当該波形に基づく基準波形を生成する。したがって、プレス荷重の荷重波形が複数回同じ波形である場合に当該波形に基づく基準波形を生成することにより、信頼性の高い基準波形を生成し、簡易な方式でプレス加工の状態を判断することが可能である。
【００１０】
好ましくは、検出部は、複数地点におけるプレス荷重をそれぞれ検出する。基準波形生成部は、検出部で検出した複数地点におけるプレス荷重の荷重波形に基づいて、複数地点にそれぞれ対応する複数の基準波形を生成する。判断部は、検出部で検出した各複数地点
のプレス荷重の荷重波形と対応する基準波形とに基づいてプレス異常か否かを判断する。基準波形生成部は、複数地点にそれぞれ対応する複数の基準波形を生成し、当該生成された基準波形に基づいてプレス異常か否かを判断するためプレス異常の判定の精度を向上させることが可能である。
【００１１】
好ましくは、基準波形生成部は、検出部で連続して検出したプレス荷重の荷重波形が複数回同じ波形である場合に当該波形に基づく基準波形を生成する。したがって、さらに信頼性の高い基準波形を生成し、簡易な方式でプレス加工の状態を判断することが可能である。
【００１２】
好ましくは、ユーザからの指示に従って基準波形を登録するモードと、基準波形生成部により基準波形を生成するモードとを選択可能な受付部をさらに備える。モードの選択により基準波形生成部により基準波形を生成あるいは指示に従って基準波形を登録することが可能であるためユーザの利便性に供する。
【００１３】
好ましくは、判断部の判断結果に基づくプレス荷重の回数をカウントするカウント部をさらに備える。カウント部のカウント結果に基づいてプレス荷重の回数を容易に把握することが可能である。
【００１４】
好ましくは、判断部の判断結果に基づいて異常を報知する異常報知部をさらに備える。異常報知部によりプレス加工の異常を容易に把握することが可能である。
【００１５】
好ましくは、検出部で検出したプレス荷重の荷重波形が所定回数同じ波形で無い場合に異常を報知する異常報知部をさらに備える。異常報知部により基準波形が生成されない異常の場合にも当該異常を容易に把握することが可能である。
【００１６】
好ましくは、所定回数は、プレスシステムの金型のステーション数よりも多い値に設定される。プレス加工の初期段階に生じる可能性が高い異常回数を排除して、異常を判断することが可能である。
【００１７】
好ましくは、基準波形生成部は、所定期間毎に検出部で検出したプレス荷重の荷重波形が複数回同じ波形である場合に当該波形に基づく基準波形を生成して更新する。所定期間毎に基準波形を生成するため経時的な変化に沿うプレス加工の状態を簡易な方式で判断することが可能である。
【００１８】
好ましくは、所定期間毎に生成された基準波形を記憶部に記憶する登録部をさらに備える。登録部により所定期間毎に生成された基準波形を記憶部に記憶することにより経時的な基準波形の変化に基づくプレス加工の状態を分析することが可能である。
【００１９】
ある局面に従うプレスシステムの制御方法は、ワークをプレスする際のプレス荷重を検出するステップと、検出したプレス荷重の荷重波形に基づいて比較対象となる基準波形を生成するステップと、検出したプレス荷重の荷重波形と基準波形とに基づいてプレス異常か否かを判断するステップとを備える。プレスシステムが基準波形を生成することにより簡易な方式でプレス加工の状態を判断することが可能である。
【００２０】
好ましくは、基準波形を生成するステップは、検出したプレス荷重の荷重波形が複数回同じ波形である場合に当該波形に基づく基準波形を生成するステップを含む。したがって、プレス荷重の荷重波形が複数回同じ波形である場合に当該波形に基づく基準波形を生成することにより、信頼性の高い基準波形を生成し、簡易な方式でプレス加工の状態を判断することが可能である。
【００２１】
ある局面に従うプレスシステムは、ワークをプレスする際のプレス荷重を検出する検出部と、検出したプレス荷重の荷重波形を記憶する記憶部と、所定期間内に記憶された複数のプレス荷重の荷重波形に基づいて代表するプレス荷重の荷重波形を設定する設定部と、設定部に設定された代表するプレス荷重の荷重波形を表示する表示部とを備える。所定期間内の代表するプレス荷重の荷重波形を表示することにより所定期間内におけるプレス加工の状態を簡易な方式で判断することが可能である。
【００２２】
好ましくは、表示部は、経時的に異なる所定期間毎の設定部に設定された代表するプレス荷重の荷重波形を重ね合わせて表示する。代表するプレス荷重の荷重波形の変化に基づいてプレス加工の状態を簡易な方式で判断することが可能である。
【００２３】
好ましくは、代表するプレス荷重波形は、所定期間内の複数のプレス荷重波形の平均波形であり、所定期間毎は、月毎に設定される。月毎のプレス荷重の平均の荷重波形の変化に基づいてプレス加工の状態を簡易な方式で判断することが可能である。
【００２４】
ある局面に従うプレスシステムの制御方法は、ワークをプレスする際のプレス荷重を検出するステップと、検出したプレス荷重の荷重波形を記憶するステップと、所定期間内に記憶された複数のプレス荷重の荷重波形に基づいて代表するプレス荷重の荷重波形を設定するステップと、設定された代表するプレス荷重の荷重波形を表示するステップとを備える。所定期間内の代表するプレス荷重の荷重波形を表示することにより所定期間内におけるプレス加工の状態を簡易な方式で判断することが可能である。
【００２５】
好ましくは、表示するステップは、経時的に異なる所定期間毎の設定された代表するプレス荷重の荷重波形を重ね合わせて表示するステップを含む。代表するプレス荷重の荷重波形の変化に基づいてプレス加工の状態を簡易な方式で判断することが可能である。
【００２６】
好ましくは、代表するプレス荷重波形は、所定期間内の複数のプレス荷重波形の平均波形であり、所定期間毎は、月毎に設定される。月毎のプレス荷重の平均の荷重波形の変化に基づいてプレス加工の状態を簡易な方式で判断することが可能である。
【発明の効果】
【００２７】
本発明のプレスシステムは、プレスシステムが基準波形を生成することにより簡易な方式でプレス加工の状態を判断することが可能である。
【図面の簡単な説明】
【００２８】
【図１】実施形態１に基づくプレスシステムの構成を説明する図である。
【図２】実施形態１に基づくプレス機械１０の斜視図である。
【図３】実施形態１に基づく制御装置４０の機能構成および周辺回路を説明するブロック図である。
【図４】実施形態１に基づくプレス荷重の異常を判断する方式を説明する図である。
【図５】実施形態１に基づく基準波形の生成を説明する図である。
【図６】実施形態１に基づくプレス機械１０における自動登録モードのプレス処理を説明するフロー図である。
【図７】実施形態２に基づく基準波形の生成を説明する図である。
【図８】実施形態３に基づく選択画面を説明する図である。
【図９】実施形態３に基づく手動登録モードのプレス処理を説明するフロー図である。
【図１０】実施形態４に基づくプレス機械１０における自動登録モードのプレス処理を説明するフロー図である。
【図１１】プレス機械１０＃としてトランスファー型のプレス機械を説明する図である。
【図１２】実施形態５に基づく基準波形の表示を説明する図である。
【図１３】実施形態６に基づく制御装置４０＃の機能構成および周辺回路を説明するブロック図である。
【図１４】実施形態６に基づく制御装置４０＃のプレス荷重の荷重波形の表示を説明するフロー図である。
【発明を実施するための形態】
【００２９】
実施の形態について図面を参照しながら詳細に説明する。なお、図中同一または相当部分には同一符号を付し、その説明は繰り返さない。
【００３０】
本例においては、プレス機械に関し、順送型のプレス機械を例に挙げて説明する。
（実施形態１）
＜全体構成＞
図１は、実施形態１に基づくプレスシステムの構成を説明する図である。
【００３１】
図１に示されるように、プレスシステムは、コイルホルダ１００と、レベラーフィーダー１１０と、プレス機械１０と、搬送コンベア１２０とを含む。
【００３２】
コイルホルダ１００には、コイルが巻き付けられておりレベラーフィーダー１１０を介してプレス機械１０にコイルが搬送される。本例においては、ワーク（材料）としてコイルをプレス加工する場合について説明する。
【００３３】
レベラーフィーダー１１０は、コイルホルダ１００からプレス機械１０に搬送するコイルの送り高さの位置を調整するとともにプレス機械１０に対してコイルを所定タイミングで搬送する。
【００３４】
プレス機械１０は、レベラーフィーダー１１０から搬送されたコイルに対して選択された成形条件に合った加工パターンに従ってプレス加工する。
【００３５】
搬送コンベア１２０は、プレス機械１０にてプレス加工により成形したワークを搬送する。例えば、次のプレス機械に搬送することも可能である。
【００３６】
プレスシステムの各部は同期しており、一連の作業が順次連続して実行される。コイルホルダ１００からコイルがレベラーフィーダー１１０を介してプレス機械１０に搬送される。そして、プレス機械１０でプレス加工され、加工されたワークは搬送コンベア１２０により搬送される。上記一連の処理が繰り返される。
【００３７】
なお、上記プレスシステムの構成は、一例であり、特に当該構成に限られるものではない。
【００３８】
＜プレス機械＞
図２は、実施形態１に基づくプレス機械１０の斜視図である。
【００３９】
図２に示されるように、一例としてプランジャが設けられていない順送型のプレス機械が示されている。
【００４０】
プレス機械１０は、本体フレーム２と、スライド２０と、ベッド４と、ボルスタ５と、コントロールパネル６と、制御装置４０とを備える。
【００４１】
サーボプレス１の本体フレーム２の略中央部には、スライド２０が上下動自在に支承されている。スライド２０に対する下方には、ベッド４上に取り付けられたボルスタ５が配置されている。本体フレーム２の前方には、コントロールパネル６が設けられている。本体フレーム２の側方には、コントロールパネル６が接続された制御装置４０が設けられている。
【００４２】
スライド２０の下面には、金型の内の上金型２２Ａが着脱可能に装着されている。ボルスタ５の上面には、ワークを加工するための金型の内の下金型２２Ｂが着脱可能に装着されている。こうして、これからの金型に対応する所定のワークを下金型２２Ｂに位置させ、上金型２２Ａをスライド２０と共に降下させてプレス加工する。
【００４３】
プレス機械１０には、本体フレーム２の右側に対応して右荷重センサ６０と、本体フレーム２の左側に対応して左荷重センサ６２とが設けられる。なお、荷重センサとして歪みゲージや圧油センサ等を利用することが可能である。また、当該荷重センサは、当業者であるならば適宜適切な位置に配置することが可能である。
【００４４】
コントロールパネル６は、プレス機械１０を制御するために必要な各種データを入力するものであり、データを入力するためのスイッチやテンキー、および設定画面やプレス機械１０から出力されるデータを表示する表示器を有している。
【００４５】
表示器としては、透明タッチスイッチパネルを液晶表示器やプラズマ表示器等のグラフィック表示器を前面に装着した、プログラマブル表示器が採用されている。
【００４６】
なお、このコントロールパネル６は、予め設定されたデータを記憶したＩＣカード等の外部記憶媒体からのデータ入力装置、または無線や通信回線を介してデータを送受信する通信装置を備えていてもよい。
【００４７】
後述するが、実施形態１のコントロールパネル６では、プレス荷重の荷重波形の判定に用いられる基準波形の登録に関する設定が可能となっている。
【００４８】
なお、上記プレス機械の構成は、一例であり、特に当該構成に限られるものではない。
＜プレス機械１０の制御装置の構成＞
次に、プレス機械１０の制御装置について説明する。
【００４９】
図３は、実施形態１に基づく制御装置４０の機能構成および周辺回路を説明するブロック図である。
【００５０】
図３において、実施形態１に基づく制御装置４０は、プレス機械１０全体を制御する装置であって、詳細図示による説明は省略するが、ＣＰＵや高速数値演算プロセッサ等を主体に構成され、決められた手順に従って入力データの算術・論理演算を行うコンピュータ装置と、指令電流を入出力する入出力インタフェースとを備えて構成されている。
【００５１】
実施形態１に基づく制御装置４０は、検出部４２と、基準波形生成部４３と、判断部４４と、異常報知部４５と、カウント部４６、受付部４７と、登録部４８とを含む。
【００５２】
制御装置４０は、ＲＯＭ、ＲＡＭ等の適宜な記憶媒体で構成されたメモリ５０と接続されている。メモリ５０は、制御装置４０が各種の機能を実現するためのプログラムが格納されている。なお、メモリ５０は、各種演算処理を実行するためのワーク領域としても用いられる。
【００５３】
制御装置４０には、コントロールパネル６の他、荷重センサ（右荷重センサ６０、左荷重センサ６２）とも接続される。荷重センサにより制御装置４０は、スライド２０によりプレス荷重の状態を判断することが可能である。
【００５４】
検出部４２は、右荷重センサ６０および左荷重センサ６２からのデータの入力を受け付けてプレス加工におけるプレス荷重を検出する。また、検出部４２は、外部からの指示を受け付けて検出し、所定の処理を実行するようにしても良い。例えば、検出部４２は、プレスの起動の停止指示を受け付けてプレス加工を停止させるようにしても良い。
【００５５】
基準波形生成部４３は、後述するがプレス異常の比較対称となる基準波形を生成する。
判断部４４は、基準波形生成部４３により生成された基準波形と、検出部４２で検出されたプレス荷重の波形とに基づいてプレス異常か否かを判断する。
【００５６】
異常報知部４５は、判断部４４の判断結果に基づいて異常を報知する。
カウント部４６は、複数のカウンタを含み、例えば判断部４４の判断結果として、プレス加工の回数をカウントする。また、基準波形生成部４３における判断結果として、プレス荷重の荷重波形と比較対象となる波形とが同じである回数をカウントする。
【００５７】
受付部４７は、コントロールパネル６からの種々の操作入力を受け付ける。
登録部４８は、判断部４４の判断結果に基づくカウンタ値と読み込んだ波形とを対応付けてメモリ５０に登録する。また、登録部４８は、基準波形生成部４３により生成された基準波形をメモリ５０に登録する。
【００５８】
図４は、実施形態１に基づくプレス荷重の異常を判断する方式を説明する図である。
図４に示されるように、実測値と基準値と閾値とが示されている。
【００５９】
実測値は実線で示されている。一例として実測値は、右荷重センサ６０および左荷重センサ６２のそれぞれで検出した荷重の合計荷重として示されている。
【００６０】
閾値は、基準値に基づく値であり、基準値に対して所定のマージン幅を持たせた値（上限値、下限値）に設定される。
【００６１】
本例においては、実測値が閾値の上限値と下限値との間の所定範囲内に含まれれば正常であると判断する。一方で、実測値が閾値の上限値と下限値との間の所定範囲内を超える値であれば異常であると判断する。
【００６２】
本例においては、実測値が所定範囲内に収まっている場合が示されている。プレス荷重が正常の場合である。
【００６３】
実施形態１に基づく基準値すなわち比較対象となる基準波形を生成する方式について説明する。
【００６４】
図５は、実施形態１に基づく基準波形の生成を説明する図である。
図５を参照して、１ショット目から８ショット目のプレス荷重に従う荷重波形が示されている。
【００６５】
１ショット目として、最初のプレス荷重に従う荷重波形が示されている。
２ショット目において、プレス荷重の荷重波形と、１ショット目の荷重波形とが同じか否かを判断する。ここでは、同じで無い場合（異なる波形）が示されている。
【００６６】
３ショット目において、プレス荷重の荷重波形と、２ショット目の荷重波形とが同じか否かを判断する。ここでは、同じで無い場合が示されている。
【００６７】
４ショット目において、プレス荷重の荷重波形と、３ショット目の荷重波形とが同じか否かを判断する。ここでは、同じである場合（同じ波形）が示されている。
【００６８】
５ショット目において、プレス荷重の荷重波形と、３ショット目の荷重波形とが同じか否かを判断する。ここでは、同じである場合が示されている。
【００６９】
６ショット目において、プレス荷重の荷重波形と、３ショット目の荷重波形とが同じか否かを判断する。ここでは、同じである場合が示されている。
【００７０】
７ショット目において、プレス荷重の荷重波形と、３ショット目の荷重波形とが同じか否かを判断する。ここでは、同じである場合が示されている。
【００７１】
そして、当該７ショット目（同じ波形であると判断されてから４ショット目）に３ショット目の荷重波形を基準波形として自動登録する場合が示されている。
【００７２】
以降については、自動登録された基準波形との比較が行なわれる。
具体的には、８ショット目において、プレス荷重の荷重波形と、基準波形（３ショット目の荷重波形）とが同じか否かを判断する。ここでは、同じである場合が示されている。
【００７３】
以降のショット目についても同様の方式で判断される。
本例においては、現在のショット目の荷重波形と、１つ前のショット目の荷重波形と比較し、同じであれば、当該１つ前のショット目の荷重波形を基準として、以降のショット目との比較判定処理を実行する。本例においては、４ショット目以降において３ショット目の荷重波形との比較判定処理が実行される。
【００７４】
実施形態１においては、基準波形生成部４３は、検出部４２で検出したプレス荷重の荷重波形が複数回同じ波形である場合に当該波形に基づく基準波形を生成する。本例においては、４回同じ波形である場合に比較の基となった荷重波形（３ショット目の荷重波形）を基準波形として生成する。登録部４８は、基準波形生成部４３により生成された基準波形をメモリ５０に登録する。
【００７５】
なお、同じ波形であるとは、波形同士が完全に同一である場合のみならず、ある波形を基準とした場合の基準とした波形の所定の幅の範囲に別の波形が含まれている場合も含まれる。
【００７６】
基準波形生成部４３により、プレス荷重の荷重波形が複数回同じ波形である場合に自動で基準波形を生成する。登録部４８は、基準波形生成部４３により生成した基準波形を登録することにより、簡易な方式でプレス加工の状態を判断することが可能である。
【００７７】
なお、本例においては、４回同じ波形であることを基準として基準波形を生成する場合について説明したが、当該回数は一例でありプレス加工の品質精度の状況に応じて適宜適切な値に当業者であるならば設定することが可能である。例えば、高品質のプレス加工が要求される場合には、さらに回数を増加させても良いし、高品質のプレス加工が要求されない場合には、回数を減少させるようにしても良い。例えば、最初の初回で基準波形を生成するようにすることも可能である。プレス機械１０が基準波形を生成することにより簡易な方式でプレス加工の状態を判断することが可能である。
【００７８】
また、本例においては、プレス荷重の荷重波形が複数回連続して同じ波形である場合に当該波形に基づく基準波形を生成する場合について説明したが、必ずしも連続していなくても複数回同じ波形である場合に自動で基準波形を生成するようにしても良い。
【００７９】
また、本例においては、基準波形の生成として複数回同じ波形である場合に比較の基となった荷重波形（３ショット目の荷重波形）をそのまま基準波形として生成する場合について説明したが、特に当該生成に限られず、複数回同じ波形である場合の平均値を算出して、算出された平均値を基準波形として生成するようにしても良い。
【００８０】
また、実施形態１におけるプレス機械１０は、実際のプレス加工から得られる荷重波形に基づいて基準波形を生成するものであり、プレス機械１０やワークの実際の状態を考慮した荷重波形を取得して生成するものである。したがって、実機に対応した精度の高い基準波形を設定することが可能である。
【００８１】
一方で、従来方式の如く予め所定品質の荷重波形を登録する場合、例えばシミュレーションにより得られた荷重波形を基準波形とした場合には、実機毎あるいはワークの状態等に従って誤差が生じるため正常、異常を判断するための基準波形からの許容幅を拡げざるを得ない。許容幅を拡げるならば精度の高い判断が難しくなる可能性がある。したがって、実施形態１に従う方式により、実機に対応した精度の高い基準波形を設定することが可能である。
【００８２】
また、ワークの種類と金型の種類に応じて荷重波形は種々に変化する。さらにプレス機械の状態に応じてさらに荷重波形が変化する。したがって、メモリに予め基準波形を登録するためには大規模なメモリ容量を必要とするとともに、プレス機械の経時変化にも対応できない。実施形態１に従う方式により、実際のワークおよび金型を利用した荷重波形に基づく基準波形を生成するため予めデータを保持する必要が無く、また、その時の実機の状態に応じた基準波形を生成するため、プレス機械の経時変化にも対応した精度の高い基準波形を設定することが可能である。
【００８３】
図６は、実施形態１に基づくプレス機械１０における自動登録モードのプレス処理を説明するフロー図である。
【００８４】
図６に示されるように、プレス機械１０は、カウンタ値をリセットする。具体的には、カウンタ値ＣＮＴ，ＰＣＮＴを０に設定する（ステップＳ２）。当該カウンタは、カウント部４６に含まれているものである。カウント部４６は、リセットしてカウンタ値ＣＮＴ，ＰＣＮＴを０に設定する。ここで、カウンタ値ＣＮＴは、基準波形生成部４３における判断結果として用いられるカウンタ値である。カウンタ値ＰＣＮＴは、判断部４４における判断結果として用いられるカウンタ値である。なお、本例においては、カウント部４６が複数のカウンタを有する場合について説明するが、１つのカウンタで実現することも可能である。
【００８５】
次に、プレス機械１０は、プレス起動の停止が指示されたかどうかを判断する（ステップＳ４）。検出部４２は、プレスの起動の停止指示を受け付けていないかどうかを判断する。
【００８６】
ステップＳ４において、プレス機械１０は、プレス起動の停止が指示された場合（ステップＳ４においてＹＥＳ）には、処理を終了する（エンド）。検出部４２は、プレスの起動の停止指示を受け付けた場合には、プレス加工を停止する。
【００８７】
一方、ステップＳ４において、プレス機械１０は、プレス起動の停止が指示されていない場合（ステップＳ４においてＮＯ）には、処理を継続する。検出部４２は、プレスの起動の停止指示を受け付けなかった場合には、基準波形生成部４３に指示して所定の条件に従って基準波形を生成するように指示する。
【００８８】
次に、プレス機械１０は、カウンタ値ＣＮＴが４未満であるかどうかを判断する（ステップＳ６）。基準波形生成部４３は、カウンタのカウンタ値ＣＮＴを確認して、カウンタ値ＣＮＴが４未満であるかどうかを判断する。
【００８９】
ステップＳ６において、プレス機械１０は、カウンタ値ＣＮＴが４未満であると判断された場合（ステップＳ６においてＹＥＳ）には、波形読込処理を実行する（ステップＳ８）。基準波形生成部４３は、カウンタのカウンタ値ＣＮＴが４未満であると判断した場合には、検出部４２で検出した荷重センサから取得したプレス荷重の荷重波形を読み込む。
【００９０】
次に、プレス機械１０は、読み込んだ波形と比較対象となる波形とを比較する（ステップＳ１０）。基準波形生成部４３は、カウンタのカウンタ値ＣＮＴが４未満であると判断した場合には、検出部４２で検出した荷重センサから取得したプレス荷重の荷重波形と、比較対象となる波形とを比較する。
【００９１】
次に、プレス機械１０は、読み込んだ波形と比較対象となる波形とが同じ波形であるか否かを判断する（ステップＳ１２）。基準波形生成部４３は、検出部４２で検出したプレス荷重の荷重波形と、比較対象となる波形とが同じ波形であるか否かを判断する。比較対象となる波形に関して、直近のカウンタ値ＣＮＴが０に対応するプレス荷重の荷重波形を比較対象となる波形に設定する。例えば、図５の例においては、４ショット目までは、１つ前のショットの荷重波形が比較対象となる。５ショット目以降においては、直近のカウンタ値ＣＮＴが０に対応する３ショット目の荷重波形が比較対象となる。
【００９２】
ステップＳ１２において、プレス機械１０は、読み込んだ波形と比較対象となる波形とが同じ波形であると判断した場合（ステップＳ１２においてＹＥＳ）には、カウンタ値ＣＮＴをインクリメントする（ステップＳ１４）。具体的には、基準波形生成部４３は、カウント部４６に指示してカウンタ値ＣＮＴに１を足す。なお、登録部４８は、判断結果に基づくカウンタ値ＣＮＴと読み込んだ波形とを対応付けてメモリ５０に登録するものとする。カウンタ値ＣＮＴが０の場合についても読み込んだ波形とカウンタ値ＣＮＴとを対応付けてメモリ５０に登録する。
【００９３】
そして、プレス機械１０の処理として再び、ステップＳ４に戻る。
一方、ステップＳ１２において、プレス機械１０は、読み込んだ波形と比較対象となる波形とが同じ波形でないと判断した場合（ステップＳ１２においてＮＯ）には、ステップＳ２に戻り、カウンタ値ＣＮＴをリセット（「０」）する。基準波形生成部４３は、カウンタ値ＣＮＴをリセット（「０」）する。
【００９４】
なお、登録部４８は、判断結果に基づくカウンタ値ＣＮＴと読み込んだ波形とを対応付けてメモリ５０に登録するものとする。カウンタ値ＣＮＴが０の場合についても読み込んだ波形とカウンタ値とを対応付けてメモリ５０に登録する。
【００９５】
一方、ステップＳ６において、プレス機械１０は、カウンタ値ＣＮＴが４未満でない、すなわちカウンタ値ＣＮＴが４以上である場合（ステップＳ６においてＮＯ）には、基準波形を登録する（ステップＳ１６）。基準波形生成部４３は、カウンタ値ＣＮＴが４以上である場合、比較対象となる波形（直近のカウンタ値が０に対応する波形）を基準波形として生成する。以降、プレス機械１０は、当該基準波形に基づいてプレス荷重の異常を判
断する。登録部４８は、基準波形生成部４３により生成された基準波形をメモリ５０に登録する。なお、本例においては、カウンタ値ＣＮＴが４未満であるか否かに基づいて基準波形を登録するか否かを判断する方式について説明しているが特に当該数値（「４」）に限られず当業者であるならば適宜数値を変更することは可能である。
【００９６】
ステップＳ１８において、プレス機械１０は、プレス起動の停止が指示されたかどうかを判断する（ステップＳ１８）。検出部４２は、プレスの起動の停止指示を受け付けていないかどうかを判断する。
【００９７】
ステップＳ１８において、プレス機械１０は、プレス起動の停止が指示された場合（ステップＳ１８においてＹＥＳ）には、処理を終了する（エンド）。検出部４２は、プレスの起動の停止指示を受け付けた場合には、プレス加工を停止する。
【００９８】
一方、ステップＳ１８において、プレス機械１０は、プレス起動の停止が指示されていない場合（ステップＳ１８においてＮＯ）には、処理を継続する。検出部４２は、プレスの起動の停止指示を受け付けなかった場合には、判断部４４に対して登録した基準波形とプレス荷重の荷重波形とを比較するように指示する。
【００９９】
次に、プレス機械１０は、波形読込処理を実行する（ステップＳ２２）。判断部４４は、検出部４２で検出した荷重センサから取得したプレス荷重の荷重波形を読み込む。
【０１００】
次に、プレス機械１０は、読み込んだ波形と比較対象となる波形とを比較する（ステップＳ２４）。判断部４４は、検出部４２で検出した荷重センサから取得したプレス荷重の荷重波形と、比較対象となる波形（基準波形）とを比較する。
【０１０１】
次に、プレス機械１０は、読み込んだ波形と基準波形とが同じ波形であるか否かを判断する（ステップＳ２６）。判断部４４は、検出部４２で検出したプレス荷重の荷重波形と、基準波形とが同じ波形であるか否かを判断する。
【０１０２】
ステップＳ２６において、プレス機械１０は、読み込んだ波形と基準波形とが同じ波形であると判断した場合（ステップＳ２６においてＹＥＳ）には、カウンタ値ＰＣＮＴをインクリメントする（ステップＳ２８）。具体的には、判断部４４は、カウント部４６に指示してカウンタ値ＰＣＮＴに１を足す。
【０１０３】
そして、プレス機械１０の処理としてステップＳ１８に戻り、上記処理を繰り返す。
一方、ステップＳ２６において、プレス機械１０は、基準波形と同じ波形でないと判断した場合（ステップＳ２６においてＮＯ）には、異常表示する（ステップＳ３０）。具体的には、判断部４４は、異常報知部４５に指示し、異常報知部４５は、コントロールパネル６の表示器に異常表示する。
【０１０４】
そして、処理を終了する（エンド）。プレス機械１０は、プレス加工を停止する。
当該処理により、プレス機械１０は、荷重センサから取得したプレス荷重の荷重波形と基準波形との比較に基づいてプレス荷重の異常を判定して報知することが可能である。
【０１０５】
また、カウント部４６のカウンタ値ＰＣＮＴによりプレス荷重が正常である場合の回数情報を取得することが可能である。なお、カウンタ値ＰＣＮＴに、基準波形生成部４３において比較対象となる波形と同じであると判断したカウンタ値ＣＮＴ（一例として「４」）を加算して当該情報（正常ショット回数）を取得することも可能である。波形としては同じ波形が５個存在するためカウンタ値ＰＣＮＴに、カウンタ値ＣＮＴ＋１（一例として「５」）を加算して当該情報（正常ショット回数）を取得することも可能である。
【０１０６】
なお、本例においては、異常と判断された場合にプレス加工を停止する場合について説明したが、異常と判断された場合であってもプレス加工を停止しない構成とすることも可能である。例えば、異常表示した後、再びステップＳ１８に戻るようにしても良い。その際に登録部４８により異常と判断した場合のショット数をメモリ５０に登録するようにしてもよい。異常と判断した際のショット数をメモリ５０に登録しておくことにより、どの時点で異常が発生したかを容易に把握することが可能である。
【０１０７】
（実施形態２）
実施形態２においては、プレス加工の状態を判断する別の方式について説明する。
【０１０８】
図７は、実施形態２に基づく基準波形の生成を説明する図である。
図７（Ａ）を参照して、右荷重に関して、１ショット目から９ショット目のプレス荷重に従う右荷重波形が示されている。
【０１０９】
１ショット目として、最初のプレス荷重に従う右荷重波形が示されている。
２ショット目において、プレス荷重の右荷重波形と、１ショット目の右荷重波形とが同じか否かを判断する。ここでは、同じで無い場合が示されている。
【０１１０】
３ショット目において、プレス荷重の右荷重波形と、２ショット目の右荷重波形とが同じか否かを判断する。ここでは、同じで無い場合が示されている。
【０１１１】
４ショット目において、プレス荷重の右荷重波形と、３ショット目の右荷重波形とが同じか否かを判断する。ここでは、同じで無い場合が示されている。
【０１１２】
５ショット目において、プレス荷重の右荷重波形と、４ショット目の右荷重波形とが同じか否かを判断する。ここでは、同じである場合が示されている。
【０１１３】
６ショット目において、プレス荷重の右荷重波形と、４ショット目の右荷重波形とが同じか否かを判断する。ここでは、同じである場合が示されている。
【０１１４】
７ショット目において、プレス荷重の右荷重波形と、４ショット目の右荷重波形とが同じか否かを判断する。ここでは、同じである場合が示されている。
【０１１５】
８ショット目において、プレス荷重の右荷重波形と、４ショット目の右荷重波形とが同じか否かを判断する。ここでは、同じである場合が示されている。
【０１１６】
そして、当該８ショット目（同じ波形であると判断されてから４ショット目）に４ショット目の右荷重波形を基準波形として自動登録する場合が示されている。
【０１１７】
以降については、自動登録された基準波形との比較が行なわれる。
具体的には、９ショット目において、プレス荷重の右荷重波形と、基準波形（４ショット目の右荷重波形）とが同じか否かを判断する。以降のショット目についても同様の方式で判断される。
【０１１８】
本例においては、現在のショット目の右荷重波形と、１つ前のショット目の右荷重波形と比較し、同じであれば、当該１つ前のショット目の右荷重波形を基準として、以降のショット目との比較判定処理を実行する。本例においては、５ショット目以降において４ショット目の荷重波形との比較判定処理が実行される。
【０１１９】
実施形態２においては、基準波形生成部４３は、検出部４２で検出したプレス荷重の右荷重波形が複数回同じ波形である場合に当該波形に基づく基準波形を生成する。本例においては、４回同じ波形である場合に比較の基となった右荷重波形（４ショット目の右荷重波形）を基準波形として生成する。
【０１２０】
なお、同じ波形であるとは、波形同士が完全に同一である場合のみならず、ある波形を基準とした場合の基準とした波形の所定の幅の範囲に別の波形が含まれている場合も含まれる。
【０１２１】
図７（Ｂ）を参照して、左荷重に関して、１ショット目から９ショット目のプレス荷重に従う左荷重波形が示されている。
【０１２２】
１ショット目として、最初のプレス荷重に従う左荷重波形が示されている。
２ショット目において、プレス荷重の左荷重波形と、１ショット目の左荷重波形とが同じか否かを判断する。ここでは、同じで無い場合が示されている。
【０１２３】
３ショット目において、プレス荷重の左荷重波形と、２ショット目の左荷重波形とが同じか否かを判断する。ここでは、同じで無い場合が示されている。
【０１２４】
４ショット目において、プレス荷重の左荷重波形と、３ショット目の左荷重波形とが同じか否かを判断する。ここでは、同じである場合が示されている。
【０１２５】
５ショット目において、プレス荷重の左荷重波形と、３ショット目の左荷重波形とが同じか否かを判断する。ここでは、同じである場合が示されている。
【０１２６】
６ショット目において、プレス荷重の左荷重波形と、３ショット目の左荷重波形とが同じか否かを判断する。ここでは、同じである場合が示されている。
【０１２７】
７ショット目において、プレス荷重の左荷重波形と、３ショット目の左荷重波形とが同じか否かを判断する。ここでは、同じである場合が示されている。
【０１２８】
そして、当該７ショット目（同じ波形であると判断されてから４ショット目）に３ショット目の左荷重波形を基準波形として自動登録する場合が示されている。
【０１２９】
以降については、自動登録された基準波形との比較が行なわれる。
具体的には、８ショット目において、プレス荷重の左荷重波形と、基準波形（３ショット目の左荷重波形）とが同じか否かを判断する。以降の９ショット目についても同様の方式で判断される。
【０１３０】
本例においては、現在のショット目の左荷重波形と、１つ前のショット目の左荷重波形と比較し、同じであれば、当該１つ前のショット目の左荷重波形を基準として、以降のショット目との比較判定処理を実行する。本例においては、４ショット目以降において３ショット目の荷重波形との比較判定処理が実行される。
【０１３１】
実施形態２においては、基準波形生成部４３は、検出部４２で検出したプレス荷重の左荷重波形が複数回同じ波形である場合に当該波形に基づく基準波形を生成する。本例においては、４回同じ波形である場合に比較の基となった左荷重波形（３ショット目の左荷重波形）を基準波形として生成する。
【０１３２】
基準波形生成部４３により、プレス荷重の荷重波形が複数回同じ波形である場合に自動
で基準波形を生成することにより、簡易な方式で基準波形を生成することが可能である。実施形態２においては、プレス荷重の右側および左側の基準波形を生成することが可能である。
【０１３３】
実施形態２に基づくプレス機械１０においても図６で説明した自動登録モードのプレス処理を同様に適用可能である。
【０１３４】
具体的には、プレス荷重に従う右荷重波形が複数回同じ波形である場合に、右荷重基準波形を生成する。また、プレス荷重に従う左荷重波形が複数回同じ波形である場合に、左荷重基準波形を生成する。判断部４４は、右荷重基準波形および左荷重基準波形に基づいて、読み込んだ波形と基準波形とが同じ波形か否かを判断する。
【０１３５】
実施形態２においては、プレス荷重に従う読み込んだ右荷重波形と、右荷重基準波形とが同じであり、かつ、プレス荷重に従う読み込んだ左荷重波形と、左荷重基準波形とが同じである場合に基準波形と同じと判断する。
【０１３６】
したがって、実施形態２においては、プレス荷重に従う左荷重波形および右荷重波形の両方の荷重波形を判断する方式であり、実施形態１よりも精度の高いプレス荷重の異常判断が可能である。
【０１３７】
なお、本例においては、右と左の２地点の荷重を検知して、当該検知された荷重のそれぞれの異常判断を実行する方式について説明したが、特に２地点に限られず、複数地点の荷重を検知して、当該検知された荷重のそれぞれの異常判断を実行することによりさらに精度の高いプレス荷重の異常判断が可能である。
【０１３８】
また、カウント部４６のカウンタ値ＰＣＮＴによりプレス荷重が正常である場合の回数情報を取得することが可能である。なお、カウンタ値ＰＣＮＴに、基準波形生成部４３において比較対象となる波形と同じであると判断したカウンタ値ＣＮＴ（一例として「４」）を加算して当該情報（正常ショット回数）を取得することも可能である。波形としては同じ波形が５個存在するためカウンタ値ＰＣＮＴに、カウンタ値ＣＮＴ＋１（一例として「５」）を加算して当該情報（正常ショット回数）を取得することも可能である。
【０１３９】
（実施形態３）
図８は、実施形態３に基づく選択画面を説明する図である。
【０１４０】
図８に示されるように、実施形態３においては、自動モードと、手動モードとを選択受付可能な選択画面が示されている。
【０１４１】
「自動モード」とは、プレス荷重の荷重波形が複数回同じ波形である場合に自動で基準波形を生成するモードである。
【０１４２】
「手動モード」とは、ユーザからの指示に従って基準波形を生成するモードである。
当該「自動モード」が選択された場合には、図６で説明した自動登録モードのプレス処理が実行される。
【０１４３】
一方、「手動モード」が選択された場合には、以下の手動登録モードのプレス処理が実行される。
【０１４４】
図９は、実施形態３に基づく手動登録モードのプレス処理を説明するフロー図である。
図９に示されるように、プレス機械１０は、登録指示があるかどうかを判断する（ステ
ップＳ３０）。具体的には、基準波形生成部４３は、コントロールパネル６の図示しない所定のボタンをユーザが操作したか否かを判断する。なお、実施形態３において、手動登録モードが選択された場合には、一例として表示器に、プレス荷重に従う荷重波形が表示されるものとする。ユーザは、当該荷重波形を見ながら、正常なプレス荷重に従う荷重波形であると判断した場合に所定のボタンを操作（手動登録）するものとする。
【０１４５】
ステップＳ３０において、プレス機械１０は、登録指示があると判断した場合（ステップＳ３０においてＹＥＳ）には、基準波形を登録する（ステップＳ３１）。基準波形生成部４３は、所定のボタンを操作（手動）された際のプレス荷重に従う荷重波形を基準波形として生成する。登録部４８は、基準波形生成部４３により生成された基準波形をメモリ５０に登録する。
【０１４６】
次に、プレス機械１０は、カウンタ値をリセットする（ステップＳ３２）。具体的には、カウンタ値ＰＣＮＴを０に設定する。当該カウンタは、カウント部４６に含まれているものである。カウント部４６は、リセットしてカウンタ値ＰＣＮＴを０に設定する。カウンタ値ＰＣＮＴは、判断部４４における判断結果として用いられるカウンタ値である。
【０１４７】
次に、ステップＳ３２において、プレス機械１０は、プレス起動の停止が指示されたかどうかを判断する（ステップＳ３４）。検出部４２は、プレスの起動の停止指示を受け付けていないかどうかを判断する。
【０１４８】
ステップＳ３４において、プレス機械１０は、プレス起動の停止が指示された場合（ステップＳ３４においてＹＥＳ）には、処理を終了する（エンド）。検出部４２は、プレスの起動の停止指示を受け付けた場合には、プレス加工を停止する。
【０１４９】
一方、ステップＳ３４において、プレス機械１０は、プレス起動の停止が指示されていない場合（ステップＳ３４においてＮＯ）には、処理を継続する。検出部４２は、プレスの起動の停止指示を受け付けなかった場合には、判断部４４に対して登録した基準波形とプレス荷重の荷重波形とを比較するように指示する。
【０１５０】
次に、プレス機械１０は、波形読込処理を実行する（ステップＳ３６）。判断部４４は、検出部４２で検出した荷重センサから取得したプレス荷重の荷重波形を読み込む。
【０１５１】
次に、プレス機械１０は、読み込んだ波形と比較対象となる波形とを比較する（ステップＳ３８）。判断部４４は、検出部４２で検出した荷重センサから取得したプレス荷重の荷重波形と、比較対象となる波形（基準波形）とを比較する。
【０１５２】
次に、プレス機械１０は、読み込んだ波形と基準波形とが同じ波形であるか否かを判断する（ステップＳ４０）。判断部４４は、検出部４２で検出したプレス荷重の荷重波形と、基準波形とが同じ波形であるか否かを判断する。
【０１５３】
ステップＳ４０において、プレス機械１０は、読み込んだ波形と基準波形とが同じ波形であると判断した場合（ステップＳ４０においてＹＥＳ）には、カウンタ値ＰＣＮＴをインクリメントする（ステップＳ４２）。具体的には、判断部４４は、カウント部４６に指示してカウンタ値ＰＣＮＴに１を足す。
【０１５４】
そして、プレス機械１０の処理としてステップＳ３４に戻り、上記処理を繰り返す。
一方、ステップＳ４０において、プレス機械１０は、基準波形と同じ波形でないと判断した場合（ステップＳ４０においてＮＯ）には、異常表示する（ステップＳ４４）。具体的には、判断部４４は、異常報知部４５に指示し、異常報知部４５は、コントロールパネ
ル６の表示器に異常表示する。
【０１５５】
そして、処理を終了する（エンド）。プレス機械１０は、プレス加工を停止する。
当該処理により、プレス機械１０は、荷重センサから取得したプレス荷重の荷重波形と手動で登録した基準波形との比較に基づいてプレス荷重の異常を判定して報知することが可能である。
【０１５６】
また、カウント部４６のカウンタ値ＰＣＮＴによりプレス荷重が正常である場合の回数情報を取得することが可能である。
【０１５７】
当該方式により、手動モードと自動モードとの切替を可能とすることにより、ユーザの意図に応じたプレス荷重の異常判断が可能となり、汎用性の高いプレス機械１０を実現することが可能である。さらに別のモードを設けることも可能である。例えば、半自動モードを設けるようにしても良い。例えば、ユーザが所定のボタンを操作（手動）した際のプレス荷重に従う荷重波形を仮の基準波形に設定して、以降のプレス荷重に従う荷重波形と仮の基準波形とが複数回同じ波形である場合に正規に基準波形を生成するようにしても良い。当該モードにより、基準波形の生成の自由度を高めることによりユーザの意図に応じたプレス荷重の異常判断が可能である。
【０１５８】
（実施形態４）
実施形態４においては、基準波形生成部４３において基準波形が生成されない状態の場合の異常処理について説明する。
【０１５９】
図１０は、実施形態４に基づくプレス機械１０における自動登録モードのプレス処理を説明するフロー図である。
【０１６０】
図１０を参照して、図６のフロー図と比較して、ステップＳ７，Ｓ１３，Ｓ１３Ａを追加した点が異なる。また、カウンタ値ＥＣＮＴをさらにカウントする点が異なる。カウンタ値ＥＣＮＴは、基準波形生成部４３における判断結果として同じ波形が得られなかった場合のカウンタ値である。
【０１６１】
ステップＳ２において、プレス機械１０は、カウンタ値をリセットする。具体的には、カウンタ値ＣＮＴ，ＰＣＮＴ，ＥＣＮＴを０に設定する（ステップＳ２）。
【０１６２】
次に、プレス機械１０は、プレス起動の停止が指示されたかどうかを判断する（ステップＳ４）。検出部４２は、プレスの起動の停止指示を受け付けていないかどうかを判断する。
【０１６３】
ステップＳ４において、プレス機械１０は、プレス起動の停止が指示された場合（ステップＳ４においてＹＥＳ）には、処理を終了する（エンド）。検出部４２は、プレスの起動の停止指示を受け付けた場合には、プレス加工を停止する。
【０１６４】
一方、ステップＳ４において、プレス機械１０は、プレス起動の停止が指示されていない場合（ステップＳ４においてＮＯ）には、処理を継続する。検出部４２は、プレスの起動の停止指示を受け付けなかった場合には、基準波形生成部４３に指示して所定の条件に従って基準波形を生成するように指示する。
【０１６５】
次に、プレス機械１０は、カウンタ値ＣＮＴが４未満であるかどうかを判断する（ステップＳ６）。基準波形生成部４３は、カウンタのカウンタ値ＣＮＴを確認して、カウンタ値ＣＮＴが４未満であるかどうかを判断する。
【０１６６】
ステップＳ６において、プレス機械１０は、カウンタ値ＣＮＴが４未満であると判断された場合（ステップＳ６においてＹＥＳ）には、カウンタ値ＥＣＮＴがＸ未満であるかどうかを判断する（ステップＳ７）。
【０１６７】
ステップＳ７において、プレス機械１０は、カウンタ値ＥＣＮＴがＸ未満であると判断した場合（ステップＳ７においてＹＥＳ）には、波形読込処理を実行する（ステップＳ８）。基準波形生成部４３は、カウンタのカウンタ値ＥＣＮＴがＸ未満であると判断した場合には、検出部４２で検出した荷重センサから取得したプレス荷重の荷重波形を読み込む。
【０１６８】
一方、ステップＳ７において、プレス機械１０は、カウンタ値ＥＣＮＴがＸ未満でないと判断した場合（ステップＳ７においてＮＯ）には、異常表示する（ステップＳ３０）。具体的には、基準波形生成部４３は、異常報知部４５に指示し、異常報知部４５は、コントロールパネル６の表示器に異常表示する。
【０１６９】
ステップＳ８の次に、プレス機械１０は、読み込んだ波形と比較対象となる波形とを比較する（ステップＳ１０）。基準波形生成部４３は、カウンタのカウンタ値ＣＮＴが４未満であると判断した場合には、検出部４２で検出した荷重センサから取得したプレス荷重の荷重波形と、比較対象となる波形とを比較する。
【０１７０】
次に、プレス機械１０は、読み込んだ波形と比較対象となる波形とが同じ波形であるか否かを判断する（ステップＳ１２）。基準波形生成部４３は、検出部４２で検出したプレス荷重の荷重波形と、比較対象となる波形とが同じ波形であるか否かを判断する。比較対象となる波形に関して、直近のカウンタ値ＣＮＴが０に対応するプレス荷重の荷重波形を比較対象となる波形に設定する。例えば、図５の例においては、４ショット目までは、１つ前のショットの荷重波形が比較対象となる。５ショット目以降においては、直近のカウンタ値ＣＮＴが０に対応する３ショット目の荷重波形が比較対象となる。
【０１７１】
ステップＳ１２において、プレス機械１０は、読み込んだ波形と比較対象となる波形とが同じ波形であると判断した場合（ステップＳ１２においてＹＥＳ）には、カウンタ値ＣＮＴをインクリメントする（ステップＳ１４）。具体的には、基準波形生成部４３は、カウント部４６に指示してカウンタ値ＣＮＴに１を足す。なお、登録部４８は、判断結果に基づくカウンタ値ＣＮＴと読み込んだ波形とを対応付けてメモリ５０に登録するものとする。カウンタ値ＣＮＴが０の場合についても読み込んだ波形とカウンタ値ＣＮＴとを対応付けてメモリ５０に登録する。
【０１７２】
そして、プレス機械１０の処理として再び、ステップＳ４に戻る。
一方、ステップＳ１２において、プレス機械１０は、読み込んだ波形と比較対象となる波形とが同じ波形でないと判断した場合（ステップＳ１２においてＮＯ）には、カウンタ値ＥＣＮＴをインクリメントする（ステップＳ１３）。具体的には、基準波形生成部４３は、カウント部４６に指示してカウンタ値ＥＣＮＴに１を足す。
【０１７３】
次に、ステップＳ１３Ａに進み、カウンタ値ＣＮＴをリセット（「０」）する。基準波形生成部４３は、カウント部４６に指示してカウンタ値ＣＮＴをリセット（「０」）する。
【０１７４】
そして、プレス機械１０の処理として再び、ステップＳ４に戻る。
一方、ステップＳ６において、プレス機械１０は、カウンタ値ＣＮＴが４未満でない、すなわちカウンタ値ＣＮＴが４以上である場合（ステップＳ６においてＮＯ）には、基準
波形を登録する（ステップＳ１６）。以降の処理については、図６で説明したのと同様であるのでその詳細な説明については繰り返さない。
【０１７５】
当該処理により、プレス機械１０は、基準波形生成部４３における判断結果としてカウンタ値ＥＣＮＴが所定回数Ｘとなる場合には、異常と判断して表示器に異常表示する。
【０１７６】
これにより基準波形生成部４３において、所定回数Ｘ、読み込んだ波形と比較対象となる波形とが同じで無いと判断した場合には、プレス機械１０において正常で無い状態が継続していると判断されるため異常報知部４５に指示し、異常表示することが可能である。
【０１７７】
したがって、プレス機械１０における異常状態を適切に判断してユーザに異常を報知（通知）することが可能である。
【０１７８】
なお、所定回数Ｘの値としては、トランスファー型のプレス機械としてステーション数が複数である場合には、当該ステーション数の値よりも大きい値に設定される。
【０１７９】
各ステーションにワークＷが配置された状態でなければプレス荷重の荷重波形は正常であると判断されないためステーション数分のプレス荷重の荷重波形は異常であると判断される可能性が高いからである。
【０１８０】
なお、上記においては、順送型のプレス機械に適用可能である場合について説明したが、特にこれに限られず、トランスファー型のプレス機械にも適用可能である。
【０１８１】
図１１は、プレス機械１０＃としてトランスファー型のプレス機械を説明する図である。
【０１８２】
本例では、正面視が示されている。
図１１に示されるように、フロアーＦＬの下に、平面視が矩形状のベッド１２が埋設されている。このベッド１２の平面視四隅には柱状のアプライト１４が立設されている。これら４本のアプライトの上にはクラウン１６が支持されている。クラウン１６にはスライド２０が垂設され、クラウン１６内の適宜な駆動機構によりスライド２０を上下に駆動することができる。これらによってトランスファー型のプレス本体が形成されている。
【０１８３】
ベッド１２の上には、ムービングボルスタ１８が配設されている。ムービングボルスタ１８は、レール等の適宜なガイド手段に沿って円滑にプレス本体からその外部に搬出、あるいは外部から搬入できるように構成されている。このムービングボルスタ１８の上面には、ワークＷを加工するための金型２２の内の下金型２２Ｂが着脱可能に装着されている。
【０１８４】
スライド２０の下面には、金型２２の内の上金型２２Ａが着脱可能に装着されている。こうして、これらの金型２２に対応する所定のワークＷを下金型２２Ｂに位置させ、上金型２２Ａをスライド２０と共に降下させてプレス加工する。
【０１８５】
プレス機械１０＃には、プレス加工する対象のワークＷを新しく供給したり、順次、次の加工ステーションに供給したりするワーク搬送装置２４が設けられている。
【０１８６】
ワーク搬送装置２４は、ワークＷの搬送方向に沿って平行に延伸した長尺なトランスファバー３０を備えている。
【０１８７】
ワークＷは左から右の方向に搬送され、この搬送方向に直交する紙面に垂直な方向にお
いて、トランスファバー３０には、ワークＷの種類に対応したワーク保持具３５が着脱可能に装着されている。
【０１８８】
トランスファバー３０を構成要素に含むワーク搬送装置２４は、バー駆動機構として、例えば、リニアモータを使用したフィード駆動機構３１を有する。これによってトランスファバー３０をフィード方向Ｆに駆動する。さらに、リフト・クランプ駆動機構３７を有する。これによってトランスファバー３０をリフト方向Ｌとクランプ方向との各方向に駆動する。
【０１８９】
ワーク保持具３５は、各工程毎に設けられている。トランスファバー３０を、フィード方向、クランプ方向、つまりワークフィード方向に対し水平直交方向およびリフト方向に、予め設定されたモーションに従って移動するようにワーク搬送装置２４を駆動制御することにより、ワークＷが次工程に順番に搬送され、プレス成形されたワークＷが外部に搬送される。
【０１９０】
本例においては、一例としてワークＷを加工するステーション数が３である場合が示されている。当該ステーション数は、ワークＷの加工に応じて適宜変更することが可能である。
【０１９１】
プレス機械１０には、スライド２０の右側に対応して右荷重センサ６０と、スライド２０の左側に対応して左荷重センサ６２とが設けられる。
【０１９２】
コントロールパネル６は、プレス機械１０＃を制御するために必要な各種データを入力するものであり、データを入力するためのスイッチやテンキー、および設定画面やプレス機械１０から出力されるデータを表示する表示器を有している。
【０１９３】
表示器としては、透明タッチスイッチパネルを液晶表示器やプラズマ表示器等のグラフィック表示器を前面に装着した、プログラマブル表示器が採用されている。
【０１９４】
なお、このコントロールパネル６は、予め設定されたデータを記憶したＩＣカード等の外部記憶媒体からのデータ入力装置、または無線や通信回線を介してデータを送受信する通信装置を備えていてもよい。
【０１９５】
さらに、単独のプレス機械として利用できる他、複数のプレス機械を連続配置するタンデムプレス等にも利用することができる。
【０１９６】
（実施形態５）
上記の実施形態においては、基準波形生成部４３により基準波形を一度生成する方式について説明したが、当該方式に限られず所定期間毎に基準波形生成部４３により基準波形を生成するようにしてもよい。例えば、所定期間として１月毎に基準波形生成部４３により基準波形を生成し、プレス加工の異常を判断するようにしても良い。当該方式により経時的に金型が変化する状態に合わせた基準波形を生成することにより、経時的な変化に沿うプレス加工の状態を簡易な方式で判断することが可能である。
【０１９７】
また、登録部４８は、所定期間毎に基準波形生成部４３により生成された基準波形をそれぞれメモリ５０に登録するようにしても良い。メモリ５０に、所定期間毎に生成された基準波形を記憶することにより経時的な基準波形の変化に基づくプレス加工の状態を分析することが可能である。例えば、所定期間毎に基準波形生成部４３により生成された基準波形を重ね合わせて表示することにより当該基準波形の変化を容易に把握することが可能である。
【０１９８】
図１２は、実施形態５に基づく基準波形の表示を説明する図である。
図１２に示されるように、所定期間（一例として一月）毎に生成された基準波形が示されている。一例としてＡ月に生成された基準波形が示されている。曲線ＬＡは、荷重許容曲線である。当該曲線ＬＡを超える場合には過負荷であると判断することが可能である。
【０１９９】
また、次のＢ月に基準波形生成部４３により生成された基準波形が示されている。当該基準波形は、基準波形生成部４３により生成されてメモリ５０に登録されているものとする。
【０２００】
そして、本例においては、Ａ月、Ｂ月の基準波形を重ね合わせて比較することにより基準波形の変化を把握することが可能である。一例として波形の変化として基準波形のピークが曲線ＬＡに近づいていることにより経時変化により今後過負荷となる可能性を予測することが可能である。また、金型の消耗度合を把握したり、メンテナンス間隔を予測することが可能となる。
【０２０１】
また、本例においては、基準波形生成部４３により生成された基準波形をメモリ５０に登録して、メモリ５０から登録された基準波形を読み出して表示させる方式について説明したが、特に基準波形に限られず、ワークをプレス加工する際のプレス荷重の荷重波形を表示させるようにしても良い。
【０２０２】
（実施形態６）
図１３は、実施形態６に基づく制御装置４０＃の機能構成および周辺回路を説明するブロック図である。
【０２０３】
図１３を参照して、実施形態６に基づく制御装置４０＃は、図３に示される制御装置４０と比較して、登録部４８を登録部４８＃に置換した点と、表示制御部４１および設定部４９がさらに追加された点が異なる。その他の構成については図３で説明したのと同様であるのでその詳細な説明については繰り返さない。
【０２０４】
登録部４８＃は、登録部４８と比較して、さらにワークをプレス加工する際の検出部４２で検出されたプレス荷重の荷重波形をメモリ５０に登録する。
【０２０５】
設定部４９は、メモリ５０に記憶されたプレス荷重の荷重波形に基づいて代表するプレス荷重波形を設定する。例えば、設定部４９は、メモリ５０に登録されている複数のプレス荷重の荷重波形の平均値を算出して代表するプレス荷重波形として設定する。
【０２０６】
表示制御部４１は、設定部４９で設定された代表するプレス荷重波形をコントロールパネル６の表示部に表示する。例えば、図１２に示されるように各月のプレス荷重の荷重波形の平均値を表示させるようにしても良い。一例として、表示制御部４１は、各月のプレス荷重の荷重波形の平均値を重ね合わせて表示部に表示させるようにしても良い。これにより各月毎の荷重波形の変化を容易に把握することが可能である。
【０２０７】
当該方式におり、経時変化による今後の波形変化の可能性を予測することが可能である。また、金型の消耗度合を把握したり、メンテナンス間隔を予測することが可能となる。
【０２０８】
図１４は、実施形態６に基づく制御装置４０＃のプレス荷重の荷重波形の表示を説明するフロー図である。
【０２０９】
図１４を参照して、制御装置４０＃は、荷重値を登録する（ステップＳ５０）。具体的
には、登録部４８＃は、検出部４２で検出したプレス荷重の荷重波形をメモリ５０に登録する。
【０２１０】
次に、制御装置４０＃は、所定期間が経過したかどうかを判断する（ステップＳ５２）。設定部４９は、一例として所定期間として１月が経過したかどうかを判断する。
【０２１１】
制御装置４０＃は、所定期間が経過したと判断した場合（ステップＳ５２においてＹＥＳ）には、代表するプレス荷重波形を設定する。具体的には、設定部４９は、１月の間にメモリ５０に登録されたプレス荷重波形を読み込んで、当該複数のプレス荷重波形の平均値を算出する。そして、当該算出された平均波形を代表するプレス荷重波形として設定する。なお、登録部４８＃は、設定部４９により設定された代表するプレス荷重波形をメモリ５０に登録する。
【０２１２】
制御装置４０＃は、所定期間が経過していないと判断した場合（ステップＳ５２においてＮＯ）には、ステップＳ５０に戻り、所定期間が経過するまでプレス荷重の荷重波形をメモリ５０に登録する。
【０２１３】
次に、制御装置４０＃は、代表するプレス荷重波形を表示部に表示する（ステップＳ５６）。表示制御部４１は、設定部４９により設定された代表するプレス荷重波形を表示部に表示する。
【０２１４】
そして、処理を終了する（エンド）。
なお、表示制御部４１は、設定部４９により設定された過去の代表するプレス荷重波形を重ね合わせて表示部に表示するようにしても良い。
【０２１５】
これにより各月毎の荷重波形の変化を容易に把握することが可能である。
当該方式におり、経時変化による今後の波形変化の可能性を予測することが可能である。また、金型の消耗度合を把握したり、メンテナンス間隔を予測することが可能となる。
【０２１６】
また、プレス機械１０がネットワークを介して外部サーバと接続されており、図示しない通信部を有している場合には、当該外部サーバにプレス機械１０の通信部を介してデータを送信するようにしても良い。例えば、メモリ５０に登録されている基準波形のデータを送信するようにしても良い。あるいは、メモリ５０に登録されているプレス荷重の荷重波形のデータを送信するようにしても良い。外部サーバにおいて当該プレス機械１０から送信されたデータを保存することにより、当該外部サーバにおいて波形の分析、診断等を容易に実行することが可能である。
【０２１７】
また、外部サーバとアクセス可能な端末を利用することにより、端末から外部サーバに対してアクセスして、当該基準波形あるいはプレス荷重の荷重波形に関するデータを取得して、当該端末で表示し、確認することも可能である。
【０２１８】
なお、本例においては、制御装置４０，４０＃の各部の機能構成としてプレス機械に設けられる構成について説明したが、特に当該プレス機械に限られるものではなく、例えば、ネットワークを介して外部サーバと接続されている場合には、当該外部サーバのＣＰＵと連携して各部の機能を実行することも可能である。また、プレス機械の表示部に表示する構成に限定されるのではなく、ネットワークを介してプレス機械と接続可能な端末の表示部に表示することも可能である。
【０２１９】
今回開示された実施の形態はすべての点で例示であって制限的なものではないと考えられるべきである。本発明の範囲は上記した説明ではなくて特許請求の範囲によって示され
、特許請求の範囲と均等の意味および範囲内でのすべての変更が含まれることが意図される。
【符号の説明】
【０２２０】
６  コントロールパネル、１０  プレス機械、４，１２  ベッド、１４  アプライト、１６  クラウン、１８  ムービングボルスタ、２０  スライド、２２  金型、２２Ａ  上金型、２２Ｂ  下金型、２４  ワーク搬送装置、３０  トランスファバー、３１  フィード駆動機構、３５  ワーク保持具、３７  クランプ駆動機構、４０  制御装置、４２  検出部、４３  基準波形生成部、４４  判断部、４５  異常報知部、４６  カウント部、４７  受付部、４８  登録部、５０  メモリ、６０  右荷重センサ、６２  左荷重センサ、１００  コイルホルダ、１１０  レベラーフィーダー、１２０  搬送コンベア。
【図１】
0006585374.tif 000002
【図２】
0006585374.tif 000003
【図３】
0006585374.tif 000004
【図４】
0006585374.tif 000005
【図５】
0006585374.tif 000006
【図６】
0006585374.tif 000007
【図７】
0006585374.tif 000008
【図８】
0006585374.tif 000009
【図９】
0006585374.tif 000010
【図１０】
0006585374.tif 000011
【図１１】
0006585374.tif 000012
【図１２】
0006585374.tif 000013
【図１３】
0006585374.tif 000014
【図１４】
0006585374.tif 000015